(57)【要約】【課題】上位側通信装置からの送信タイミングを守らない下位側通信装置の検出を行う。【解決手段】第１モニタ部は、上位側通信装置からの下り信号を受けて第１のモニタ信号を生成する。第２モニタ部は、下位側通信装置からの上り信号をカプラ部で多重化する前に受けて第２のモニタ信号を生成する。検出部は、第１のモニタ信号と複数の第２のモニタ信号の少なくとも１つとが重複した回数を、第２のモニタ信号毎に計数し、所定期間の計数の後、重複した回数が他の重複した回数より多い第２のモニタ信号に対応する下位側通信装置の少なくとも１つを特定する。複数の遮断部は、検出部で特定された下位側通信装置から上位側通信装置への通信を遮断する。【選択図】図２
2014155081.tif 000002
【特許請求の範囲】
【請求項１】
複数の下位側通信装置がカプラユニットを介して上位側通信装置に接続された光通信システムにおいて、
前記カプラユニットは、
前記上位側通信装置から受ける下り信号をモニタした第１のモニタ信号を生成する第１モニタ部と、
前記下位側通信装置からそれぞれ受ける上り信号をモニタした第２のモニタ信号を生成する複数の第２モニタ部と、
前記第１のモニタ信号と前記複数の第２のモニタ信号の少なくとも１つとが重複した回数を、前記第２のモニタ信号毎に計数し、所定の期間の計数の後、重複した回数が他の重複した回数より多い第２のモニタ信号に対応する前記下位側通信装置の少なくとも１つを特定する検出部と、
前記第２モニタ部に対応してそれぞれ設けられ、前記検出部により特定された前記下位側通信装置から前記上位側通信装置への通信を遮断する複数の遮断部とを備える
ことを特徴とする光通信システム。
【請求項２】
請求項１に記載の光通信システムにおいて、
前記カプラユニットは、
前記上位側通信装置から受ける下り信号を前記複数の下位側通信装置に分配し、前記複数の下位側通信装置から受ける上り信号を多重化して上位側通信装置に送信するカプラ装置と、
前記第１モニタ部、前記第２モニタ部、前記検出部、及び前記遮断部を内蔵し、前記カプラ装置に取り外し可能な装置とを備える
ことを特徴とする光通信システム。
【請求項３】
複数の下位側通信装置がカプラユニットを介して上位側通信装置に接続された光通信システムにおいて、
前記カプラユニットは、
前記上位側通信装置から受ける下り信号をモニタした第１のモニタ信号を生成する第１モニタ部と、
前記下位側通信装置からそれぞれ受ける上り信号をモニタした第２のモニタ信号を生成する複数の第２モニタ部と、
前記第１のモニタ信号が生成されていない期間中に生成される前記第２のモニタ信号に対応する前記下位側通信装置の少なくとも１つを特定する検出部と、
前記第２モニタ部に対応してそれぞれ設けられ、前記検出部により特定された前記下位側通信装置から前記上位側通信装置への通信を遮断する複数の遮断部とを備える
ことを特徴とする光通信システム。
【請求項４】
請求項３に記載の光通信システムにおいて、
前記カプラユニットは、
前記第１モニタ部に対応して第２の遮断部を設け、
前記出力部は、第２の遮断部で前記上位側通信装置から前記第１モニタ部への通信を遮断した後に、前記下位側通信装置の少なくとも１つを特定する
ことを特徴とする光通信システム。
【請求項５】
複数の下位側通信装置がカプラユニットを介して上位側通信装置に接続された光通信システムの障害検出方法において、
前記カプラユニットは、
前記上位側通信装置から受ける下り信号をモニタした第１のモニタ信号を生成すること、
前記下位側通信装置からそれぞれ受ける上り信号をモニタした第２のモニタ信号を生成すること、
前記第１のモニタ信号と前記複数の第２のモニタ信号の少なくとも１つとが重複した回数を、前記第２のモニタ信号毎に計数し、所定の期間の計数の後、重複した回数が他の重複した回数より多い第２のモニタ信号に対応する前記下位側通信装置の少なくとも１つを特定すること、
前記特定された前記下位側通信装置から前記上位側通信装置への通信を遮断すること、
を含む光通信システムの障害検出方法。
【請求項６】
複数の下位側通信装置がカプラユニットを介して上位側通信装置に接続された光通信システムの障害検出方法において、
前記カプラユニットは、
前記上位側通信装置から受ける下り信号をモニタした第１のモニタ信号を生成すること、
前記下位側通信装置からそれぞれ受ける上り信号をモニタした第２のモニタ信号を生成すること、
前記第１のモニタ信号が生成されていない期間中に生成される前記第２のモニタ信号に対応する前記下位側通信装置の少なくとも１つを特定すること、
前記特定された前記下位側通信装置から前記上位側通信装置への通信を遮断すること、
を含む光通信システムの障害検出方法。
【請求項７】
請求項６に記載の光通信システムの障害検出方法において、
前記カプラユニットは、
前記上位側通信装置から受ける下り信号を遮断した後に、前記生成される第２のモニタ信号に対応する前記下位側通信装置の少なくとも１つを特定すること、
を含む光通信システムの障害検出方法。
【請求項８】
複数の下位側通信装置と上位側通信装置とを接続するカプラユニットにおいて、
前記上位側通信装置から受ける下り信号をモニタした第１のモニタ信号を生成する第１モニタ部と、
前記下位側通信装置からそれぞれ受ける上り信号をモニタした第２のモニタ信号を生成する複数の第２モニタ部と、
前記第１のモニタ信号と前記複数の第２のモニタ信号の少なくとも１つとが重複した回数を、前記第２のモニタ信号毎に計数し、所定の期間の計数の後、重複した回数が他の重複した回数より多い第２のモニタ信号に対応する前記下位側通信装置の少なくとも１つを特定する検出部と、
前記第２モニタ部に対応してそれぞれ設けられ、前記検出部により特定された前記下位側通信装置から前記上位側通信装置への通信を遮断する複数の遮断部とを備える
ことを特徴とするカプラユニット。
【請求項９】
請求項８に記載のカプラユニットにおいて、
前記上位側通信装置から受ける下り信号を前記複数の下位側通信装置に分配し、前記複数の下位側通信装置から受ける上り信号を多重化して上位側通信装置に送信するカプラ装置と、
前記第１モニタ部、前記第２モニタ部、前記検出部、及び前記遮断部を内蔵し、前記カプラ装置に取り外し可能な装置とを備える
ことを特徴とするカプラユニット。
【請求項１０】
複数の下位側通信装置と上位側通信装置とを接続するカプラユニットにおいて、
前記上位側通信装置から受ける下り信号をモニタした第１のモニタ信号を生成する第１モニタ部と、
前記下位側通信装置からそれぞれ受ける上り信号をモニタした第２のモニタ信号を生成する複数の第２モニタ部と、
前記第１のモニタ信号が生成されていない期間中に生成される前記第２のモニタ信号に対応する前記下位側通信装置の少なくとも１つを特定する検出部と、
前記第２モニタ部に対応してそれぞれ設けられ、前記検出部により特定された前記下位側通信装置から前記上位側通信装置への通信を遮断する複数の遮断部とを備える
ことを特徴とするカプラユニット。
【請求項１１】
請求項１０に記載のカプラユニットにおいて、
前記第１モニタ部に対応して第２の遮断部を設け、
前記検出部は、第２の遮断部で前記上位側通信装置から前記第１モニタ部への通信を遮断した後に、前記下位側通信装置の少なくとも１つを特定する
ことを特徴とするカプラユニット。
【発明の詳細な説明】
【技術分野】
【０００１】
本発明は、カプラユニット、光通信システム、及び光通信システムの障害検出方法に関する。
【背景技術】
【０００２】
従来、光通信システムとしては、ＰＯＮ(Passive Optical Network)システムが知られている。ＰＯＮシステムには、カプラ装置が用いられている。カプラ装置は、局側光網終端装置（ＯＬＴ；Optical Line Terminal、以下、「ＯＬＴ」と称す）から出力される下り信号を複数の加入者側終端装置（ＯＮＵ；Optical Network Unit、以下、「ＯＮＵ」と称す）に分配して出力する。また、カプラ装置は、各ＯＮＵから出力される上り信号を多重化してＯＬＴに送出する。
【０００３】
例えば、カプラ装置は、ＯＮＵが有する発光素子の故障、又はその発光素子の駆動回路の故障を検出する監視部を有している（例えば、特許文献１参照）。この種のカプラ装置の監視部は、ＯＮＵに対して割り当てられた送信タイミングの情報をＯＬＴから受信する。そして、監視部は、受信した送信タイミング以外で受ける上り信号（以下、「妨害光」と称す）を送出するＯＮＵを検出し、そのＯＮＵを迅速に修復することでＰＯＮシステムのサービスの低下を回避している。
【先行技術文献】
【特許文献】
【０００４】
【特許文献１】特開２０１０−２１２７７８号公報
【発明の概要】
【発明が解決しようとする課題】
【０００５】
しかしながら、カプラ装置が有する監視部は、ＯＬＴとＯＮＵとの間で時刻の同期をとるための機能、及び、ＯＮＵから送出される上り信号の送信予定時刻、及び実際の時刻の情報を監視する機能を有する。また、特許文献１に記載の監視部は、ＯＮＵまでの伝送線路の線路長がＯＮＵ毎で異なるため、時刻を線路長に応じて補正する機能を有し、構成が複雑になっていた。
【０００６】
本件開示のカプラユニット、光通信システム、及び光通信システムの障害検出方法は、構成を簡素化して通信品質の向上を図ることを目的とする。
【課題を解決するための手段】
【０００７】
一つの観点によれば、光通信システムは、複数の下位側通信装置がカプラユニットを介して上位側通信装置に接続された光通信システムにおいて、カプラユニットは、上位側通信装置から受ける下り信号をモニタした第１のモニタ信号を生成する第１モニタ部と、下位側通信装置からそれぞれ受ける上り信号をモニタした第２のモニタ信号を生成する複数の第２モニタ部と、第１のモニタ信号と複数の第２のモニタ信号の少なくとも１つとが重複した回数を、第２のモニタ信号毎に計数し、所定の期間の計数の後、重複した回数が他の重複した回数より多い第２のモニタ信号に対応する下位側通信装置の少なくとも１つを特定する検出部と、第２のモニタ部に対応してそれぞれ有し、検出部により特定された下位側通信装置から前記上位側通信装置への通信を遮断する複数の遮断部とを備える。
【発明の効果】
【０００８】
本件開示のカプラユニット、光通信システム、及び光通信システムの障害検出方法は、通信品質を向上することができる。
【図面の簡単な説明】
【０００９】
【図１】ＰＯＮシステムの一実施態様を示す図である。
【図２】図１に示したカプラユニットの例を示す図である。
【図３】図２に示したカプラユニットが異常のＯＮＵを検出する動作手順を示すフローチャートである。
【図４】送信タイミングを受けている期間中に各ＯＮＵから受信する上り信号の一例を示すタイミングチャートである。
【図５】送信タイミングを受けている期間中に異常を検出した数を計数する管理テーブルの概略の例を示す図である。
【図６】送信タイミングを受けていない期間中に各ＯＮＵから受信する上り信号の一例を示すタイミングチャートである。
【図７】光通信システムの別の実施例を示す図である。
【図８】光通信システムの他の実施例を示す図である。
【図９】図８で説明したカプラユニットの動作手順を示すフローチャートである。
【発明を実施するための形態】
【００１０】
図１はＰＯＮシステムの一実施態様を示す。図１において、ＰＯＮシステム１０は、局側光通信装置であるＯＬＴ１１、カプラユニット１２、及び複数の加入者側光通信装置であるｎ個のＯＮＵ１３（ＯＮＵ１３ａ，ＯＮＵ１３ｂ，・・・，ＯＮＵ１３ｎ）を有する。なお、ＰＯＮシステム１０は光通信システムの一例であり、ＯＬＴ１１は上位側通信装置の一例であり、ＯＮＵ１３は下位側通信装置の一例である。
【００１１】
ＯＬＴ１１は、例えば、１本の基幹となる光ファイバケーブル１４を介してカプラユニット１２に接続されている。ＯＬＴ１１は、通信事業者の建物である局舎９の内部に有する。カプラユニット１２は、カプラ装置１５と遮断装置１６とを有する。遮断装置１６は、ＯＬＴ１１からの送信タイミングの指示を守らないＯＮＵ１３から送信される妨害光を検出し、例えば発光素子、又はその発光素子の駆動回路が故障しているＯＮＵ１３に対して通信を遮断する。
【００１２】
複数のＯＮＵ１３は、カプラユニット１２から分岐された複数の支線となる光ファイバケーブル１７（１７ａ，１７ｂ，・・・，１７ｎ）の端部にそれぞれ接続されている。ＯＬＴ１１は、上位のネットワーク１８に接続され、また、各ＯＮＵ１３は、加入者の端末装置１９（１９ａ，１９ｂ，・・・，１９ｎ）にそれぞれ接続される。
【００１３】
ＰＯＮシステム１０では、各ＯＮＵ１３からＯＬＴ１１に向けた上り信号と、ＯＬＴ１１から各ＯＮＵ１３に向けた下り信号とで異なる波長の信号が使われる。また、ＰＯＮシステム１０では、下り信号は、例えば時分割多重(TDM（Time Division Multiplexing）)方式により多重化されて連続信号として送信される。また、上り信号は、例えば時分割多重アクセス（TDMA(Time Division Multiplexing Access)）方式により多重化されてバースト信号として送信される。
【００１４】
各ＯＮＵ１３は、端末装置１９から上り信号を受信すると、受信した上り信号のデータをキューに蓄積し、そのキューに溜まったデータ量をレポートフレームに記してＯＬＴ１１に送信する。ＯＬＴ１１は、受信したレポートフレームのデータ量と他のＯＮＵ１３が使用する上り帯域とに基づいて、使用していない帯域を動的に割り当てる動的帯域割当(DBA:Dynamic Bandwidth Allocation)処理を行う。
【００１５】
動的帯域割当は、レポートフレームを送信したＯＮＵ１３に割り当てるべき上り信号のデータ送信量（送信継続時間）と送信開始時刻とが含まれる指示情報を算出する処理を含む。ＯＬＴ１１は、各ＯＮＵ１３からの送信を許可するゲートフレームに指示情報を記し、指示情報を記したゲートフレームを、レポートフレームを送信したＯＮＵ１３に送信する。ＯＮＵ１３は、受信したゲートフレームに含まれる指示情報に従って上り信号を送信する。
【００１６】
ＰＯＮシステム１０は、複数の光ファイバケーブル１７の端部に新たに接続されるＯＮＵ１３とＯＬＴ１１との間で通信リンクを自動的に確立するためのＰ２ＭＰ（Point to Multipoint）ディスカバリ機能を有する。Ｐ２ＭＰディスカバリ機能は、新たなＯＮＵを自動的に検出し、検出したＯＮＵにＬＬＩＤ（Logical Link ID）を割り当てることで、新たに検出したＯＮＵ１３とＯＬＴ１１との間で通信リンクを確立する。
【００１７】
ＯＬＴ１１は、ＯＮＵ１３との間のＲＴＴ（Round Trip Time：フレーム往復時間）の測定を行う機能を有する。ＯＬＴ１１は、ＯＮＵ１３毎に測定したＲＴＴに基づいて、各ＯＮＵ１３から送信される上り信号が重ならないように、送信タイミングをＯＮＵ１３毎に指定する。
【００１８】
図２は、図１に示したカプラユニット１２の例を示す。カプラユニット１２は、カプラ装置１５と遮断装置１６とを有する。遮断装置１６は、カプラ装置１５に取り外し可能に取り付けられている。カプラ装置１５は、ＯＬＴ１１から下り信号を受ける第１ポート２０、各ＯＮＵ１３から上り信号を受ける複数の第２ポート２１（２１ａ，２１ｂ,・・・，２１ｎ）、及びカプラ部２２を有する。
【００１９】
カプラ部２２は、外部からの電源の供給を必要としない受動素子を含む。このカプラ部２２は、第１ポート２０から受ける下り信号を複数の第２ポート２１に分岐して射出し、また、複数の第２ポート２１から受ける上り信号を多重化してバースト光信号の列として第１ポート２０に射出する。
【００２０】
遮断装置１６は、第３ポート２４、及び第４ポート２５を有する。第３ポート２４には、基幹の光ファイバケーブル１４が取り外し可能に接続される。
第４ポート２５は、カプラ装置１５の第１ポート２０に取り外し可能に接続される。また、遮断装置１６は、複数の第５ポート２６（２６ａ，２６ｂ，・・・，２６ｎ）を有する。複数の第５ポート２６は、カプラ装置１５の各第２ポート２１に取り外し可能に接続される。
【００２１】
遮断装置１６は、複数の第６ポート２７（２７ａ，２７ｂ，・・・，２７ｎ）を有する。各第６ポート２７には、各光ファイバケーブル１７が取り外し可能に接続される。
遮断装置１６は、第１モニタ部２８、複数の第２モニタ部２９（２９ａ，２９ｂ，・・・，２９ｎ）、複数の遮断部３０（３０ａ，３０ｂ，・・・，３０ｎ）、検出部３１、制御部３２、計時部３３、及び電源部３５を含む。計時部３３は、基準の時刻を計時しており、第１モニタ部２８、第２モニタ部２９、遮断部３０、検出部３１、及び制御部３２が有するそれぞれの時刻を基準の時刻に同期させる。電源部３５は、遮断装置１６の第１モニタ部２８、第２モニタ部２９、遮断部３０、検出部３１、制御部３２、及び計時部３３に電源を供給する。
【００２２】
第１モニタ部２８は、カプラ部２２に対してＯＬＴ１１側の光路、例えば、第３ポート２４と第４ポート２５との間の光路に配置されている。第１モニタ部２８は、第３ポート２４を介してＯＬＴ１１から受ける下り信号をカプラ部２２で分配する前に分岐する。そして、第１モニタ部２８は、分岐した下り信号を電気信号に変換し、変換した電気信号を第１のモニタ信号Ａとして検出部３１に送る。
【００２３】
複数の第２モニタ部２９は、カプラ部２２に対してＯＮＵ１３側の光路、例えば、各第５ポート２６と各第６ポート２７との間の各光路にそれぞれ配置されている。各第２モニタ部２９は、各第６ポート２７を介して各ＯＮＵ１３から受ける上り信号をカプラ部２２で多重化する前に分岐する。そして、各第２モニタ部２９は、分岐した上り信号を電気信号に変換し、変換した電気信号を第２のモニタ信号Ｂ（Ｂ１，Ｂ２，・・・，Ｂｎ）として検出部３１に送る。
【００２４】
検出部３１は、第１モニタ部２８から送出される第１のモニタ信号Ａを受けている間に、各第２モニタ部２９から送出される第２のモニタ信号Ｂを、第１モニタ部２８及び第２モニタ部２９でモニタを開始する時点を起点とする同一の時間軸上で監視する。そして、検出部３１は、以下で説明するケース１及びケース２の何れかに該当するか否かを判断する。検出部３１は、ケース１及びケース２の何れかに該当すると判断した場合、ＯＬＴ１１からの送信タイミングの指示を守らないＯＮＵ１３を特定し、特定したＯＮＵ１３に異常が発生したことを示す情報を制御部３２に出力する。
【００２５】
ケース１は、第１のモニタ信号Ａを受けている期間中に、複数の第２のモニタ信号Ｂを重複して受けるケースである。この場合、検出部３１は、複数の第２のモニタ信号Ｂを重複して受けた回数を、第６ポート２７毎に計数していく。
検出部３１は、複数の第６ポート２７のうちの計数した値が最も多い第６ポートを選択し、選択した第６ポートに繋がるＯＮＵ１３に異常が発生したことを検出する。検出部３１の検出は、第1モニタ部２８及び第２モニタ部２９でモニタを開始してから所定期間を経過した後に行われる。検出部３１は、異常が発生したことを検出したＯＮＵ１３を示す情報を制御部３２に送る。
【００２６】
なお、検出部３１は、複数の第２のモニタ信号Ｂを重複して受けた回数を計数するための管理テーブルが割り当てられた記憶部３４を有する。管理テーブルは、例えば、複数の第２のモニタ信号Ｂを重複して受けた回数を、第６ポート２７毎に記憶する領域を有している。
【００２７】
ケース２は、第１モニタ部２８から第１のモニタ信号Ａを受信していない期間中に、複数の第２モニタ部２９のいずれかから第２のモニタ信号Ｂを受信するケースである。この場合、検出部３１は、第２のモニタ信号Ｂを受信した第２モニタ部２９に接続されるＯＮＵ１３に異常が発生したことを検出する。検出部３１は、異常が発生したことを検出したＯＮＵ１３の情報を異常の情報として制御部３２に送る。
【００２８】
複数の遮断部３０は、各第２モニタ部２９と各第５ポート２６との間にそれぞれ接続されている。各遮断部３０は、制御部３２からの指令Ｃ（Ｃ１，Ｃ２，・・・，Ｃｎ）に基づいて、光信号の通過を許可する第１の状態、又は光信号の通過を遮断する第２の状態に設定される。制御部３２は、検出部３１からＯＮＵ１３の異常を示す情報を受けると、異常が発生したＯＮＵ１３に接続された第６ポート２７を認識する。そして、制御部３２は、認識した第６ポート２７に繋がる遮断部３０を光信号が通過する第１の状態から光信号の通過を遮断する第２の状態に変える。なお、各遮断部３０は、各第２モニタ部２９と第６ポート２７との間にそれぞれ配置されてもよい。
【００２９】
図３は、図２に示したカプラユニット１２が、異常が発生したＯＮＵ１３を検出する動作手順を示す。検出部３１は、異常が発生したＯＮＵを検出する処理を実行し、第１モニタ部２８から出力される第１のモニタ信号（Ａ）と、各第２モニタ部２９から出力される第２のモニタ信号（Ｂ１−Ｂｎ）とをリアルタイムにモニタする。なお、異常が発生したＯＮＵ１３を検出する処理は、予め決めた所定期間毎に自動的に行われるのが望ましい。なお、異常が発生したＯＮＵ１３を検出する処理は、ＰＯＮシステム１０の管理者が局舎９からＯＬＴ１１を介して遠隔操作を行うことに応じて行われるのが望ましい。あるいは、異常が発生したＯＮＵ１３を検出する処理は、管理者がカプラユニット１２に有した操作部を操作することに応じて行われるのが望ましい。
【００３０】
ステップ１において、検出部３１は、第１のモニタ信号Ａを受信しているか否かを判断する。検出部３１は、第１のモニタ信号Ａを受けていると判断した場合、処理をステップＳ２に移行し、第１のモニタ信号Ａを受けていないと判断した場合、処理をステップＳ２に移行する。
【００３１】
ステップ２において、検出部３１は、第１のモニタ信号Ａを受けている期間中に、各第６ポート２７から受ける上り信号に対応する複数の第２のモニタ信号Ｂを重複して受けたか否かを判断する。検出部３１は、第２のモニタ信号Ｂを重複して受けたと判断した場合、処理をステップＳ３に移行し、第２のモニタ信号Ｂを重複して受けていないと判断した場合、処理をステップＳ１に戻す。
【００３２】
ステップ３において、検出部３１は、ステップ２で複数の第２のモニタ信号Ｂを重複して受けたと判断する場合、複数の第２のモニタ信号Ｂを重複して受けた回数を第６ポート２７毎に管理テーブルに記録していく。
ステップ４において、検出部３１は、検出部３１がモニタを開始してから所定の期間が経過したか否かを判断する。検出部３１は、所定の期間が経過したと判断した場合、処理をステップＳ５に移行し、所定の期間が経過していないと判断した場合、処理をステップＳ１に戻す。
【００３３】
ステップ５において、検出部３１は、管理テーブルを参照して、第２のモニタ信号Ｂを重複して受けた回数を計数した値が最も多い第６ポート２７を選択し、選択した第６ポート２７に繋がるＯＮＵ１３に異常が発生したことを検出する。そして、検出部３１は、異常が発生したことを検出したＯＮＵ１３を示す情報を制御部３２に送る。制御部３２は、検出部３１からＯＮＵ１３の異常を示す情報を受けて、異常が発生したＯＮＵ１３に接続される第６ポート２７を認識する。そして、制御部３２は、認識した第６ポート２７に繋がる遮断部３０を、上り信号が通過する第１の状態から上り信号の通過を遮断する第２の状態に変える。
【００３４】
これにより、ＰＯＮシステム１０では、異常が発生するＯＮＵ１３から送信される妨害光をカプラユニット１２で遮断することができる。このため、カプラユニット１２に接続される他の正常なＯＮＵ１３とＯＬＴ１１との間でのデータ伝送を、妨害することなく正常に継続することができる。
【００３５】
一方、次に説明するステップ６、及びステップ７では、検出部３１は、ＯＮＵ１３が有する発光素子等が何らかの原因により常時発光してしまう常時発光異常状態の検出を行う。
ステップ６において、検出部３１は、ステップ１において第１のモニタ信号Ａを受けていないと判断した場合、第６ポート２７を介して受ける上り信号に対応する第２のモニタ信号Ｂを各第２モニタ部２９から受けているか否かを判断する。検出部３１は、第２のモニタ信号Ｂを受けていると判断した場合、処理をステップＳ７に移行し、第２のモニタ信号Ｂを受けていないと判断した場合、処理をステップＳ１に戻す。
【００３６】
ステップ７において、検出部３１は、ステップ６で第２のモニタ信号Ｂを受信していると判断した場合、第２のモニタ信号Ｂを受けた第６ポート２７を選択し、選択した第６ポート２７に繋がるＯＮＵ１３に異常が発生したことを検出する。そして、検出部３１は、異常が発生したことを検出したＯＮＵ１３を示す情報を制御部３２に送る。制御部２３は、検出部３１からＯＮＵ１３の異常を示す情報を受けると、異常が発生したＯＮＵ１３に接続される第６ポート２７に繋がる遮断部３０を、上り信号が通過する第１の状態から上り信号の通過を遮断する第２の状態に変える。これにより、ＰＯＮシステム１０では、常時発光異常状態となるＯＮＵ１３から送信される上り信号をカプラユニット１２で遮断することができる。
【００３７】
図４は、送信タイミングを受けている期間中に各ＯＮＵ１３から受信する上り信号の一例を示す。第１のモニタ信号３６は、図２に示す第３ポート２４を介して受ける下り信号を第１モニタ部２８でモニタした第１のモニタ信号Ａの一例であり、送信タイミングに対応する。また、図４に示す第２のモニタ信号３７（３７ａ，３７ｂ，３７ｃ，３７ｄ，３７ｅ，３７ｆ）は、図２に示す各第６ポート２７ａ，２７ｂ，２７ｎを介して受ける上り信号を第２のモニタ部２９ａ，２９ｂ，２９ｎでモニタした第２のモニタ信号Ｂ１，Ｂ２，Ｂｎの一例である。
【００３８】
図４において、第１のモニタ信号３６と第２のモニタ信号３７とは、異常を発生したＯＮＵ１３を検出する処理を開始する時刻（モニタを開始する時刻）ｔ０を起点とする同一の時間軸上でモニタされている。検出部３１は、時刻ｔ０から時刻ｔ５の所定の期間を経過した後に、複数の第２のモニタ信号３７を重複して受けた回数を第６ポート２７毎に計数する処理を行う。
【００３９】
第６ポート２７ａから受ける第２のモニタ信号３７ａと、第６ポート２７ｎから受ける第２のモニタ信号３７ｂとは、時刻ｔ１の時にハッチィングで示した範囲が重複している。
また、第６ポート２７ｂから受ける第２のモニタ信号３７ｃと、第６ポート２７ｎから受ける第２のモニタ信号３７ｂとは、時刻ｔ２の時にハッチィングで示した範囲が重複している。
【００４０】
さらに、第６ポート２７ａから受ける第２のモニタ信号３７ｄと、第６ポート２７ｎから受ける第２のモニタ信号３７ｅとは、時刻ｔ３の時のハッチィングで示した範囲が重複している。
また、第６ポート２７ｂから受ける第２のモニタ信号３７ｆと、第６ポート２７ｎから受ける第２のモニタ信号３７ｅとは、時刻４の時にハッチィングで示した範囲が重複している。
検出部３１は、第２のモニタ信号３７が重複する時刻ｔ１，ｔ２，ｔ３，ｔ４の時に、第２のモニタ信号３７の重複を受けた第６ポート２７の情報を含む重複情報３８ａ，３８ｂ，３８ｃ，３８ｄをそれぞれ出力する。
【００４１】
図５は、検出部３１の記憶部３４が記憶する管理テーブルの概念の例を示す。管理テーブルは、図４に示した第１のモニタ信号３６と複数の第２のモニタ信号３７の少なくとも１つとが重複する回数を、重複する第２のモニタ信号３７を受けた第６ポート２７毎に記録しているテーブルを示す。
【００４２】
検出部３１は、図４に示した時刻ｔ1の時に重複情報３８ａを出力するため、重複情報３８ａに含まれる第６ポート２７ａ，２７ｎの情報を抽出する。そして、検出部３１は、図５に示すように、時刻ｔ１に対する第６ポート２７ａと第６ポート２７ｎとにそれぞれ計数するための、例えばフラグを付与する。なお、図５では、フラグを、例えば「１」として記載している。
【００４３】
次に、検出部３１は、図４に示した時刻ｔ２の時に重複情報３８ｂを出力するため、重複情報３８ｂに含まれる第６ポート２７ｂ，２７ｎの情報を抽出する。そして、検出部３１は、図５に示すように、時刻ｔ２に対する第６ポート２７ｂと第６ポート２７ｎとにそれぞれフラグを付与する。
【００４４】
次に、検出部３１は、図４に示した時刻ｔ３の時に重複情報３８ｃを出力するため、重複情報３８ｃに含まれる第６ポート２７ａ，２７ｎの情報を抽出する。そして、検出部３１は、図５に示すように、時刻ｔ３に対する第６ポート２７ａと第６ポート２７ｎとにそれぞれフラグを付与する。
【００４５】
最後に、検出部３１は、図４に示した時刻ｔ４の時に重複情報３８ｄを出力するため、重複情報３８ｄに含まれる第６ポート２７ｂ，２７ｎの情報を抽出する。そして、検出部３１は、図５に示すように、時刻ｔ４に対する第６ポート２７ｂと第６ポート２７ｎとにそれぞれフラグを付与する。
【００４６】
検出部３１は、図４に示した時刻ｔ０から時刻ｔ５までの所定の期間を経過した後に、図５に示すように、第６ポート２７ａ，２７ｂ、２７ｎ毎に付与したフラグを計数する。検出部３１は、計数した値が最も多い第６ポート２７を選択する。図５に示す例では、検出部３１は、第６ポート２７ｎのフラグを計数した値が「４」となり、この計数した値が最大値であると認識する。これにより、検出部３１は、第６ポート２７ｎに繋がるＯＮＵ１３ｎが異常であると特定する。
【００４７】
次に、常時発光異常状態のＯＮＵ１３を検出する場合について説明する。図６は、送信タイミングを受けていない期間中に各ＯＮＵ１３から受信する上り信号の一例を示す。第１のモニタ信号３６は、図２に示す第３ポート２４を介して第１のモニタ部２８からモニタした第１のモニタ信号Ａの一例である。
【００４８】
第２のモニタ信号３７（３７，３７ｇ，３７ｈ）は、図２に示す第６ポート２７ａ，２７ｂ，２７ｎを介して第２のモニタ部２９ａ，２９ｂ，２９ｎからモニタする第２のモニタ信号Ｂ１，Ｂ２，Ｂｎの一例である。
【００４９】
第１のモニタ信号３６と第２のモニタ信号３７とは、モニタを開始する時刻ｔ０を起点とする同一の時間軸上に記載されている。送信タイミングを受けていない期間は、時刻ｔ１から時刻ｔ４までの期間に対応する。
【００５０】
検出部３１は、送信タイミングを受けていない期間のうちの時刻ｔ２、及び時刻ｔ３の時に、第６ポート２７ｎから第２のモニタ信号３７ｇ，３７ｈをそれぞれ受けている。検出部３１は、第２のモニタ信号３７ｇ，３７ｈを受けた時刻ｔ２，ｔ３の時に、第６ポート２７ｎが異常である旨の異常の情報３８ｅ，３８ｆを出力する。このため、検出部３１は、第６ポート２７ｎに繋がるＯＮＵ１３ｎが異常であると特定する。これにより、カプラユニット１２は、ＯＮＵ１３のうちのいずれかが常時発光異常状態となった場合でも、異常となるＯＮＵ１３からの上り信号を遮断することができる。
【００５１】
図７は、光通信システムの別の実施形態を示す。図２で説明した要素と同一または同様の要素については、詳細な説明は省略する。例えば、図７に示すＰＯＮシステム３８は、図１と同様または同一のシステム構成を有しており、ＯＬＴ１１は、上位ネットワークに接続される。
【００５２】
図２に示したカプラユニット１２は、遮断装置１６をカプラ装置１５に取り外し可能に取り付けている。これに対し、この実施形態のカプラユニット４０は、図２で説明した遮断装置１６をカプラ装置１５に一体として扱えるように内蔵している。この実施形態のカプラユニット４０は、第１ポート２０、第２ポート２１ａ−２１ｎ、第４ポート２５、及び第５ポート２６ａ−２６ｎをそれぞれ省略することができるため、構成を簡素化することができる。
【００５３】
図８は、光通信システムの他の実施形態を示す。図２及び図７で説明した要素と同一または同様の要素については、詳細な説明は省略する。例えば、図８に示すＰＯＮシステム４６は、図１と同様または同一のシステム構成を有しており、ＯＬＴ１１は、上位ネットワークに接続される。
【００５４】
第２遮断部４６は、制御部３２からの指令Ｄに基づいて、上り信号の通過を許可する第１の状態と上り信号の通過を遮断する第２の状態との間で状態を変える。
【００５５】
ここで、図７に示したカプラユニット４０は、図８に示したカプラユニット４７と同一、又は同様の構成を有する。カプラユニット４０については図７で説明しているため、カプラユニット４７の詳しい説明は省略する。なお、図８に示した第２遮断部４６は、図２示したカプラユニット１２に有されてもよい。
【００５６】
図９は、図８で説明したカプラユニット４７の動作手順を示す。
ステップ８において、制御部３２は、予め決めた所定の期間を計時し、所定の期間を経過する毎に、ＯＮＵ１３の常時発光異常状態を検出する処理を実行する。なお、ＯＮＵ１３の常時発光異常状態を検出する処理は、ＰＯＮシステム４６の管理者が局舎９からＯＬＴ１１を介して遠隔操作を行うことに応じて行われるのが望ましい。また、ＯＮＵ１３の常時発光異常状態を検出する処理は、管理者がカプラユニット１２に有した操作部を操作することに応じて行われるのが望ましい。
【００５７】
ステップ９において、制御部３２は、第２遮断部４６を、下り信号が通過する第１の状態から下り信号の通過を遮断する第２の状態に予め決めた一定期間だけ切り換える。
ステップ１０において、検出部３１は、ステップ９において下り信号に対応する第１のモニタ信号Ａが遮断されている期間中に、各第２モニタ部２９から第２のモニタ信号Ｂを受信しているか否かを判断する。検出部３１は、第２のモニタ信号Ｂを受けていない場合は処理をステップ１２に移行し、第２のモニタ信号Ｂを受けた場合には、処理をステップ１１に移行する。
【００５８】
ステップ１１において、検出部３１は、第２のモニタ信号Ｂを受けた第２モニタ部２９に接続される第６ポート２７の情報を、異常の情報として制御部３２に送る。制御部２３は、異常の情報に含まれる第６ポート２７に繋がるＯＮＵ１３に異常があると特定し、特定したＯＮＵ１３に繋がる遮断部３０を、上り信号が通過する第１の状態から上り信号の通過を遮断する第２の状態に変える。
【００５９】
ステップ１２において、制御部３２は、ＯＮＵ１３の常時発光異常状態を検出する処理を開始してから予め決めた所定の期間が経過したか否かを判断する。検出部３１は、一定期間が経過していない場合は処理をステップ１０に移行し、一定期間が経過した場合には、処理をステップ１３に移行する。
ステップ１３において、制御部３２は、第２遮断部４６を、下り信号を通過させる第１の状態に戻して、処理をステップ８に移行する。
【００６０】
以上、図８、及び図９に示した実施形態では、図３に示したステップ１での条件、すなわち、第１モニタ部２８が第３ポート２４を介して第１のモニタ信号Ａを受信するか否かの条件に関わらず、ＯＮＵ１３の常時発光異常状態の検出の処理を常に行える。
【００６１】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６２】
１０…ＰＯＮ；１１…ＯＬＴ；１２…カプラユニット；１３ａ−１３ｎ…ＯＮＵ；１５…カプラ装置；１６…遮断装置；２２…カプラ部；２８…第１モニタ部；２９ａ−２９ｎ…第２モニタ部；３０ａ−３０ｎ…遮断部；３１…検出部；３２…制御部；４６…第２遮断部
【図１】
2014155081.tif 000003
【図２】
2014155081.tif 000004
【図３】
2014155081.tif 000005
【図４】
2014155081.tif 000006
【図５】
2014155081.tif 000007
【図６】
2014155081.tif 000008
【図７】
2014155081.tif 000009
【図８】
2014155081.tif 000010
【図９】
2014155081.tif 000011